(57)【特許請求の範囲】
【請求項１】
熱媒を加熱する熱媒加熱手段と、加熱手段により加熱された熱媒が吐出される吐出口と、吐出口から吐出されて端末機器に循環供給された熱媒が戻される戻り口とを備えてなる熱源機と、端末機器とを接続するとともに、端末機器と熱源機との間の接続状態を、連通状態、又は、遮断状態に切り替える切替機能を備えた切替弁付き継手であって、
熱源機の戻り口又は吐出口に接続される熱源機側接続部と、
端末機器側の熱媒通流管が接続される端末機器側接続部と、
熱源機側接続部と端末機器側接続部とを連通させる熱媒主通路が形成される筒状部材からなる連通部と、
熱媒主通路を開閉して、熱源機側接続部と端末機器側接続部の間の接続状態を、連通状態と遮断状態とに切り替える切替弁と、
切替弁を動作させて熱媒主通路の開閉を行うための操作部を備えた操作軸であって、一部が切替弁を構成する弁体となっており、所定の位置に移動させることにより、切替弁を開閉して熱媒主通路を連通、遮断する機能を果たすとともに、内部に熱媒主通路に通じる連通路が形成され、かつ、所定の位置に連通路に通じるチャージ口が設けられ、切替弁が閉となって熱源機側接続部と端末機器側接続部とが遮断された位置にあるときに、少なくともチャージ口から端末機器側接続部に向かって、連通路と熱媒主通路が連通状態にあるように構成された操作軸と
を具備し、
前記操作軸が、前記筒状部材からなる連通部の一部を構成する弁収容部に収容され、操作軸をその軸心に沿う方向にスライドさせることにより、前記熱媒主通路が開または閉の状態となるように構成されており、かつ、
前記弁収容部には、その内周面側に突出するスプリングピンが配設されているとともに、
前記操作軸の外周面には、前記スプリングピンと係合して、前記操作軸の動作をガイドするガイド用スリットであって、(ａ)その軸方向に平行な軸方向スリットと、(ｂ)前記軸方向スリットの上下両端部に連通するとともに、前記軸方向スリットと鈍角をなすように斜めに形成された斜め方向スリットと、(ｃ)前記軸方向スリットと垂直の方向に形成され、前記斜め方向スリットを介して前記軸方向スリットの上下両端部と連通する一対の水平方向スリットとを備えたガイド用スリットが設けられていること
を特徴とする切替弁付き継手。
【請求項２】
前記操作軸の軸心が略直線で、前記軸心と略同軸上に前記連通路、及び、前記チャージ口が形成されていることを特徴とする請求項１記載の切替弁付き継手。
【請求項３】
熱媒主通路から熱媒（流体）が逆流してチャージ口から漏れ出すことを防止するための逆止弁が、前記操作軸内の連通路に設けられていることを特徴とする請求項１又は２記載の切替弁付き継手。
【請求項４】
少なくとも、前記熱源機側接続部、前記端末機器側接続部、前記筒状部材からなる連通部、及び、前記切替弁と操作軸の一部が収容される弁収容部が合成樹脂にて一体的に形成されていることを特徴とする請求項１〜３のいずれかに記載の切替弁付き継手。
【発明の詳細な説明】
【０００１】
【発明の属する技術分野】
本発明は、熱源機と、端末機器とを接続するとともに、端末機器と熱源機との間の接続状態を、連通状態、又は、遮断状態に切り替える切替機能を備えた切替弁付き継手に関する。
【０００２】
【従来の技術及び発明が解決しようとする課題】
例えば温水を熱媒として利用した暖房システムにおいては、熱源機（給湯装置）から供給される熱媒としての温水を分流して複数の端末機器（例えば、床暖房用パネル、浴室乾燥機、食器洗浄器のファンコイルなど）に供給することが行われる。
【０００３】
このような場合に、熱源機と端末機器を接続するために使用される接続用継手としては、熱源機から供給される温水を複数に分流して複数の端末機器に供給する供給ヘッダや、複数の端末機器において熱媒として使用された温水を合流して熱源機に戻すための戻りヘッダなどがある。
【０００４】
ところで、上記のような暖房システムにおいては、端末機器や、熱源機と端末機器の間を循環する熱媒が通る熱媒通流管などから熱媒が漏出するようなことがあると、システムが正常に動作しなくなるばかりでなく、漏れた熱媒が熱源機や端末機器を故障させる原因になったり、あるいは、端末機器の配設されている室内や熱媒通流管が配設されている床下などに熱媒が漏れて、その処理が問題になったりする場合がある。
そこで、暖房システムの施工完了後などに、端末機器や熱媒流通管などに漏れがないことを確認するための気密検査を行うことが必要になる。
【０００５】
そして、その場合、熱源機である給湯装置は、通常、上水道への逆流防止の必要から、膨張タンクが設けられ、大気解放になっているため、熱源機と端末機器との間を遮断して、気密検査を行うことが必要となる。
【０００６】
そのため、従来は、熱源機からの吐出口又は熱源機への戻り口に接続される継手として、例えば、図６に示すように、熱源機５１に接続される熱源機側接続部５２と、複数の端末機器側の熱媒通流管５３が接続される端末機器側接続部５４との間に切替弁５５を設け、熱源機側接続部５２と端末機器側接続部５４とが連通する熱媒通流状態と、熱源機側接続部５２と端末機器側接続部５４とが遮断された検査状態とを切り替えることができるようにした切替弁付き継手を用いている。
【０００７】
そして、その操作部５６を操作して切替弁５５を開閉することにより、熱源機側接続部５２と端末機器側接続部５４との接続状態を検査状態（遮断状態）に切り替えるとともに、複数の端末機器側接続部５４のうちの一つ、この例では、５４ａをチャージ口（検査用接続部）として使用し、そのチャージ口５４ａに接続した検査用流体供給管５３ａから検査用流体を供給して端末機器側を加圧し、気密検査を行うようにしている。
【０００８】
それゆえ、上記従来の切替弁付き継手においては、熱媒通流管５３が接続される端末機器側接続部５４を端末機器に対応する数だけ設けるとともに、さらに、検査用流体供給管５３ａが接続されるチャージ口５４ａを設けることが必要となり、サイズが大型化するとともに、構造が複雑化し、コストの増大を招くという問題点がある。
また、サイズが大型化すると、構成材料として機械的強度の大きい金属材料を用いることが必要になり、材料費や加工費の増大を招くという問題点がある。
【０００９】
さらに、チャージ口５４ａが、切替弁５５の操作部５６と端末機器側接続部５４の間の狭いスペースに位置しているため、検査用流体供給管５３ａをチャージ口５４ａに接続することが容易ではなく、作業性が悪いという問題点がある。
【００１０】
本発明は、上記問題点を解決するものであり、小型化が可能で、しかも、チャージ口（検査用接続部）に容易に検査用流体供給管を接続することができて、気密検査の作業性を向上させることが可能な切替弁付き継手を提供することを目的とする。
【００１１】
【課題を解決するための手段】
上記目的を達成するために、本発明（請求項１）の切替弁付き継手は、
熱媒を加熱する熱媒加熱手段と、加熱手段により加熱された熱媒が吐出される吐出口と、吐出口から吐出されて端末機器に循環供給された熱媒が戻される戻り口とを備えてなる熱源機と、端末機器とを接続するとともに、端末機器と熱源機との間の接続状態を、連通状態、又は、遮断状態に切り替える切替機能を備えた切替弁付き継手であって、
熱源機の戻り口又は吐出口に接続される熱源機側接続部と、
端末機器側の熱媒通流管が接続される端末機器側接続部と、
熱源機側接続部と端末機器側接続部とを連通させる熱媒主通路が形成される筒状部材からなる連通部と、
熱媒主通路を開閉して、熱源機側接続部と端末機器側接続部の間の接続状態を、連通状態と遮断状態とに切り替える切替弁と、
切替弁を動作させて熱媒主通路の開閉を行うための操作部を備えた操作軸であって、一部が切替弁を構成する弁体となっており、所定の位置に移動させることにより、切替弁を開閉して熱媒主通路を連通、遮断する機能を果たすとともに、内部に熱媒主通路に通じる連通路が形成され、かつ、所定の位置に連通路に通じるチャージ口が設けられ、切替弁が閉となって熱源機側接続部と端末機器側接続部とが遮断された位置にあるときに、少なくともチャージ口から端末機器側接続部に向かって、連通路と熱媒主通路が連通状態にあるように構成された操作軸と
を具備し、
前記操作軸が、前記筒状部材からなる連通部の一部を構成する弁収容部に収容され、操作軸をその軸心に沿う方向にスライドさせることにより、前記熱媒主通路が開または閉の状態となるように構成されており、かつ、
前記弁収容部には、その内周面側に突出するスプリングピンが配設されているとともに、
前記操作軸の外周面には、前記スプリングピンと係合して、前記操作軸の動作をガイドするガイド用スリットであって、(ａ)その軸方向に平行な軸方向スリットと、(ｂ)前記軸方向スリットの上下両端部に連通するとともに、前記軸方向スリットと鈍角をなすように斜めに形成された斜め方向スリットと、(ｃ)前記軸方向スリットと垂直の方向に形成され、前記斜め方向スリットを介して前記軸方向スリットの上下両端部と連通する一対の水平方向スリットとを備えたガイド用スリットが設けられていること
を特徴としている。
【００１２】
本発明の切替弁付き継手においては、切替弁を操作するための操作軸の内部が熱媒主通路に通じる連通路となっており、さらに、この操作軸に、前記熱媒主通路に通じる連通路とチャージ口が設けられているため、チャージ用の流体を供給するための検査用流体供給管をチャージ口に接続することが可能になり、従来の切替弁付き継手では必要であった、端末機器側接続部とは別に検査用接続部を設けることが不要になり、小型化、構造の簡素化を図ることが可能になる。
【００１３】
また、操作軸は、通常アクセスしやすい位置に配設されることになるため、必然的に検査用流体供給管をチャージ口に接続する場合も、その接続作業が容易になり、気密検査時の作業性を向上させることが可能になる。
【００１４】
また、請求項２の切替弁付き継手は、前記操作軸の軸心が略直線で、前記軸心と略同軸上に前記連通路、及び、前記チャージ口が形成されていることを特徴としている。
【００１５】
操作軸を軸心が略直線であるような形状（例えば、円筒状などの形状）とし、軸心と略同軸上に連通路、及び、チャージ口を形成することにより、さらに、形状を簡素化することが可能になるとともに、検査用流体供給管をチャージ口に接続する場合の作業性を向上させることが可能になる。
【００１６】
また、請求項３の切替弁付き継手は、熱媒主通路から熱媒（流体）が逆流してチャージ口から漏れ出すことを防止するための逆止弁が、前記操作軸内の連通路に設けられていることを特徴としている。
【００１７】
逆止弁を設けることにより、気密検査の終了後などにおいて、検査用流体供給管をチャージ口から取り外す場合に、熱媒主通路から熱媒や気密検査時の昇圧のためにチャージした流体が、逆流してチャージ口から漏れ出すことを確実に防止することが可能になる。
【００１８】
したがって、昇圧用のコンプレッサーなどを使用しないで済むように、気密検査時のチャージ用流体として水などを使用した場合にも、検査完了後における水の漏れ出しを防止することが可能になり、本発明をより実効あらしめることができる。
【００１９】
また、請求項４の切替弁付き継手は、少なくとも、前記熱源機側接続部、前記端末機器側接続部、前記筒状部材からなる連通部、及び、前記切替弁と操作軸の一部が収容される弁収容部が合成樹脂にて一体的に形成されていることを特徴としている。
【００２０】
本発明によれば、小型化、構造の簡素化を図ることが可能になることから、請求項４の切替弁付き継手のように、少なくとも、熱源機側接続部、端末機器側接続部、筒状部材からなる連通部、及び、切替弁と操作軸の一部が収容される弁収容部を合成樹脂にて一体的に形成することが可能になり、材料費や加工費を抑えて、製造コストを低減することが可能になる。
【００２１】
【発明の実施の形態】
以下、本発明の実施の形態を示してその特徴とするところをさらに詳しく説明する。なお、この実施形態では、一般家庭用の給湯装置を利用した暖房・給湯システムに付随して使用される切替弁付き継手を例にとって説明する。
【００２２】
図１は本発明の一実施形態にかかる切替弁付き継手を示す図であって、気密検査を行う場合の切替状態（気密検査モード）にある切替弁付き継手を示す要部断面図、図２は通常の運転を行う際の切替状態（通常運転モード）にある切替弁付き継手を示す要部断面図であり、図３はこの実施形態の切替弁付き継手Ａが用いられている暖房・給湯システムの構成を示す図である。
【００２３】
この実施形態の切替弁付き継手Ａが用いられている暖房・給湯システムは、図３に示すように、熱源機である給湯装置１から、高温（９０℃）の熱媒（湯）を高温側ヘッダ２を経由して、端末機器３（この実施形態では浴室乾燥機３（３ａ）及び温水食器洗浄器用ファンコイル３（３ｂ））に供給し、低温（６０℃）の熱媒（湯）を、低温側ヘッダ４を経由して、端末機器３（この実施形態では２つの床暖房パネル３（３ｃ，３ｄ））に供給するとともに、各端末機器３（浴室乾燥機３ａ，温水食器洗浄器用ファンコイル３ｂ，床暖房パネル３ｃ，３ｄ）に循環供給された熱媒を、戻りヘッダ５を経由して熱源機（給湯装置）１に戻し、熱源機１において再び熱媒を加熱して、端末機器３に循環供給するように構成されている。
【００２４】
そして、この暖房・給湯システムにおける戻りヘッダ５として、この実施形態の切替弁付き継手Ａ（図１，図２）が用いられている。
【００２５】
図１に示すように、この切替弁付き継手（戻りヘッダ）Ａは、熱源機１（図３）に接続される熱源機側接続部１２と、４つの端末機器３（浴室乾燥機３ａ，温水食器洗浄器用ファンコイル３ｂ，床暖房パネル３ｃ，３ｄ）（図３）で使用された熱媒を熱源機１に戻すための４本の熱媒通流管１３（図３）が接続される４つの端末機器側接続部１４と、熱源機側接続部１２と端末機器側接続部１４とを連通させる熱媒主通路１５が形成される筒状部材からなる連通部１６と、熱媒主通路１５を連通又は遮断して、熱源機側接続部１２と端末機器側接続部１４の間の接続状態を、連通状態と遮断状態とに切り替える切替弁１７を備えている。
【００２６】
なお、この実施形態の切替弁付き継手Ａにおいて、熱媒主通路１５はＬ字状で、図１の垂直方向の通路（垂直方向主通路）１５ａと、水平方向の通路（水平方向主通路）１５ｂとを備えており、熱源機側接続部１２は内部に垂直方向主通路１５ａが形成された連通部１６の垂直部分１６ａの上端側に設けられており、４つの端末機器側接続部１４は連通部１６の水平部分１６ｂに配設されている。
【００２７】
そして、切替弁１７が収容された円筒状の弁収容部１８には、先端部２０ａが切替弁１７の一部を構成して弁体として機能する操作軸２０が挿入されている。すなわち、この操作軸２０は、上方に移動させると、その基端側の主要部分より直径の小さい先端部２０ａが垂直方向主通路１５ａの内周面に当接して、熱媒主通路１５の垂直方向主通路１５ａと水平方向主通路１５ｂとが遮断され、下方に移動させると、熱媒主通路１５の垂直方向主通路１５ａと水平方向主通路１５ｂとが連通状態となるように構成されている。
【００２８】
図４に示すように、この操作軸２０の内部には、熱媒主通路１５（図１及び２）に通じる連通路２１が形成されており、下端面には、連通路２１に通じるチャージ口２２が設けられているとともに、下端側の外周部には操作軸２０を操作するための操作部２３が設けられている。
また、操作軸２０の先端部２０ａの少し下側には、操作軸２０の内部の連通路２１と熱媒主通路１５とを連通させるための貫通穴（連通穴）２０ｂが形成されている。
なお、操作軸２０は、軸心が直線状の筒状部材から形成されおり、連通路２１及びチャージ口２２は軸心上に形成されている。
【００２９】
また、操作軸２０の外周面には、図５に展開して示すように、操作軸２０の軸方向（垂直方向）に沿う直線状の軸方向スリット２４ａと、軸方向スリット２４ａの上下両端部に連通して斜めに向かう斜め方向スリット２４ｂと、斜め方向スリット２４ｂと連通して水平方向に向かう保持用の水平方向スリット２４ｃとからなるガイド用スリット２４が、互いに対向するように１８０度異なる位置に設けられており、対向する一対のガイド用スリット２４にはまり込むようにスプリングピン２７が、図１，図２に示すように、円筒状の弁収容部１８を径方向に貫通して取り付けられている。これにより、操作軸２０を、上下方向に所定距離だけ確実に移動させることが可能になる。
【００３０】
また、操作軸２０の内側の連通路２１の下部には、ボール状の弁体２８及び弁座２９を備えた逆止弁３０が配設されており、この逆止弁３０により、熱媒主通路１５から熱媒（流体）が、操作軸２０の貫通穴（連通穴）２０ｂ、連通路２１を経て逆流し、チャージ口２２から漏れ出すことが防止される。
さらに、操作軸２０の先端部２０ａの外周部には熱媒主通路シール用のＯリング３１が配設され、また、操作軸の基端側大径部の外周部には外部シール用のＯリング３２が配設されている。
【００３１】
したがって、上記のように構成された切替弁付き継手Ａにおいては、操作部２３を操作して、操作軸２０を上方の位置に移動させた場合、切替弁１７が閉となり、熱源機側接続部１２と端末機器側接続部１４とは遮断されるが、チャージ口２２から端末機器側連通部１４に向かっては、連通路２１と熱媒主通路１５（水平方向主通路１５ｂ）は、連通した状態に保たれることになる。
【００３２】
なお、この実施形態の切替弁付き継手Ａにおいては、操作軸２０を除く主要部、すなわち、熱源機側接続部１２、前記端末機器側接続部１４、筒状部材からなる連通部１６、及び、切替弁１７と操作軸２０の一部が収容される弁収容部１８が射出成型法により、合成樹脂にて一体的に形成されている。
【００３３】
次に、上記の切替弁付き継手Ａが用いられている暖房・給湯システムの気密検査を行う場合の切替弁付き継手Ａの動作の一例について説明する。
▲１▼図３に示すような暖房・給湯システムについて端末機器側の気密検査を行う場合、まず、高温側ヘッダ２及び低温側ヘッダ４の開閉弁を閉にして、熱源機１と端末機器３の間を遮断する。
▲２▼それから、図１に示すように、切替弁付き継手Ａの操作部２３を操作することにより操作軸２０を上方に動作させ、チャージ口２２と端末機器側接続部１４の間を連通させた状態で、熱源機側接続部１２と端末機器側接続部１４の間を遮断する（すなわち、切替弁１７を閉にする）。これにより、切替弁付き継手Ａは気密検査モードとなる。
▲３▼次いで、図１に示すように、端末機器３側加圧用の流体を供給するための検査用流体供給管３３を、アダプタ３４を介してチャージ口２２に接続する（あらかじめ接続してある場合には、接続は不要である）。なお、端末機器３側を加圧するためのチャージ用流体としては、コンプレッサーにより加圧したエアを用いたり、上水道への逆流を防止するための工夫をした上で水道水を用いたりすることが可能であり、また、熱源機からの高圧水を加圧源として用いたりすることも可能であるが、本発明においては、加圧用の流体の種類に特に制約はない。ただし、この実施形態では、水をチャージ用流体とする場合について説明する。
▲４▼そして、検査用流体供給管３３からチャージ口２２を経て、チャージ用流体を連通路２１内に供給することにより、端末機器３側を所定の圧力になるまで加圧する。
▲５▼そして、端末機器３側が所定の圧力になった時点で加圧操作を停止して、端末機器３側の圧力の挙動を観察し、圧力低下の速度が所定の速度を超えない場合には端末機器３側の気密状態が良好であると判断し、所定の圧力低下速度を超える急速な圧力の低下が認められた場合には、端末機器側を調べ、漏れをなくしてから再度気密検査を行い、所定の圧力低下速度を超える急速な圧力の低下がなくなるまでこれを繰り返す。
▲６▼このようにして気密検査が終了すると、チャージ口２２に接続した検査用流体供給管３３及びアダプタ３４を取り外し、操作部２３を操作して、図２に示すように、操作軸２０を下方に移動させ、切替弁１７を開として、熱源機側接続部１２と端末機器側接続部１４の間を連通させた後、チャージ口２２に閉塞栓３６を取り付ける。これにより、切替弁付き継手Ａは通常運転モードとなる。なお、閉塞栓３６は、その係合部３６ａを操作軸２０の下部外周面に形成された係合突起３５に係合させ、９０゜回転させることにより操作軸２０に容易に固定できるように構成されている。
【００３４】
ただし、気密検査の順序や具体的な方法は、上記▲１▼〜▲６▼の順序や方法に限定されるものではなく、端末機器側を所定の圧力になるまで加圧した後の、端末機器３側の圧力の低下状態を観察することが可能である限りにおいて、種々の変更を加えることが可能である。
【００３５】
なお、この実施形態の切替弁付き継手Ａにおいては、操作軸２０の内部の連通路２１の下端部に、逆止弁２１を設けているので、気密検査の終了後などにおいて、検査用流体供給管３３をチャージ口２２から取り外す場合に、熱媒主通路１５から熱媒や検査時の昇圧のためにチャージした流体が逆流してチャージ口２２から漏れ出すことを確実に防止することができる。したがって、昇圧用のコンプレッサーなどを使用しないで済むように、検査時のチャージ流体として水を使用するようにした場合にも、検査完了後における水の漏れ出しを防止することができる。
【００３６】
なお、上記実施形態では、高温側ヘッダ２から下流側の端末機器３（浴室乾燥機３（３ａ）及び温水食器洗浄器用ファンコイル３（３ｂ））と、低温側ヘッダ４から下流側の端末機器３（床暖房パネル３（３ｃ，３ｄ））の両方について、同時に気密検査を行うようにした場合について説明したが、各端末機器側を別々に検査することも可能である。
【００３７】
また、上記実施形態では、端末機器が、浴室乾燥機、温水食器洗浄器用ファンコイル、床暖房パネルである場合について説明したが、本発明においては、端末機器の種類や配設数などに特別の制約はない。
また、本発明の切替弁付き継手は、上述の戻りヘッダとしてだけではなく、場合によっては、低温側ヘッダや高温側ヘッダとしても用いることが可能である。
【００３８】
本発明は、さらにその他の点においても上記実施形態に限定されるものではなく、熱源機の具体的な構成、熱源機で加熱され、端末機器側に循環供給される熱媒の種類、熱源機側接続部や端末機器側接続部などの具体的な構造、切替弁の構成、操作軸の具体的な構造などに関し、発明の要旨の範囲内において、種々の応用、変形を加えることが可能である。
【００３９】
【発明の効果】
上述のように、本発明（請求項１）の切替弁付き継手は、切替弁を動作させて熱媒主通路の開閉を行うための操作軸として、一部が切替弁を構成する弁体となっており、所定の位置に移動させることにより、切替弁を開閉して熱媒主通路を連通、遮断する機能を果たすとともに、内部に熱媒主通路に通じる連通路が形成され、かつ、所定の位置に連通路に通じるチャージ口が設けられ、切替弁が閉となって熱源機側接続部と端末機器側接続部とが遮断された位置にあるときに、少なくともチャージ口から端末機器側接続部に向かって、連通路と熱媒主通路が連通状態にあるように構成された操作軸を用いているので、チャージ用の流体を供給するための検査用流体供給管をチャージ口に接続することが可能になる。
【００４０】
したがって、従来の切替弁付き継手では必要であった、端末機器側接続部とは別に検査用接続部を設けることが不要になり、小型化、構造の簡素化を図ることが可能になる。
【００４１】
また、操作軸は、通常アクセスしやすい位置に配設されることになるため、必然的に検査用流体供給管をチャージ口に接続する場合もその接続作業が容易になり、気密検査時の作業性を向上させることが可能になる。
【００４２】
また、請求項２の切替弁付き継手のように、操作軸を軸心が略直線であるような形状（例えば、円筒状などの形状）とし、軸心と略同軸上に連通路、及び、チャージ口を形成するようにした場合、さらに、形状を簡素化することが可能になるとともに、検査用流体供給管をチャージ口に接続する場合の作業性を向上させることが可能になる。
【００４３】
また、請求項３の切替弁付き継手のように、操作軸の内部の連通路に、逆止弁を設けた場合、気密検査の終了後などにおいて、検査用流体供給管をチャージ口から取り外す場合に、熱媒主通路から熱媒や気密検査時の昇圧のためにチャージした流体が、逆流してチャージ口から漏れ出すことを確実に防止することが可能になる。したがって、昇圧用のコンプレッサーなどを使用しないで済むように、気密検査時のチャージ用流体として水などを使用した場合にも、検査完了後における水の漏れ出しを防止することが可能になり、本発明をより実効あらしめることができる。
【００４４】
また、本発明によれば、小型化、構造の簡素化を図ることが可能になることから、請求項４の切替弁付き継手のように、少なくとも、熱源機側接続部、端末機器側接続部、筒状部材からなる連通部、及び、切替弁と操作軸の一部が収容される弁収容部を合成樹脂にて一体的に形成することが可能になり、材料費や加工費を抑えて、製造コストを低減することが可能になる。
【図面の簡単な説明】
【図１】本発明の一実施形態にかかる切替弁付き継手を示す図であって、気密検査を行う場合の切替状態（気密検査モード）にある切替弁付き継手を示す要部断面図である。
【図２】本発明の一実施形態にかかる切替弁付き継手を示す図であって、通常の運転を行う際の切替状態（通常運転モード）にある切替弁付き継手を示す要部断面図である。
【図３】本発明の一実施形態にかかる切替弁付き継手が用いられている暖房・給湯システムの構成を示す図である。
【図４】本発明の一実施形態にかかる切替弁付き継手において用いられている操作軸を示す図であり、(ａ)は(ｂ)のａ−ａ線断面図（平面断面図）、(ｂ)は側面図、(ｃ)は側面断面図である。
【図５】本発明の一実施形態にかかる切替弁付き継手において用いられている操作軸の外周面の展開図である。
【図６】従来の切替弁付き継手を示す断面図である。
【符号の説明】
Ａ            切替弁付き継手（戻りヘッダ）
１            熱源機（給湯装置）
２            高温側ヘッダ
３            端末機器
３ａ          浴室乾燥機
３ｂ          温水食器洗浄器用ファンコイル
３ｃ，３ｄ    床暖房パネル
４            低温側ヘッダ
５            戻りヘッダ
１２          熱源機側接続部
１３          熱媒通流管
１４          端末機器側接続部
１５          熱媒主通路
１５ａ        垂直方向主通路
１５ｂ        水平方向主通路
１６          筒状部材からなる連通部
１６ａ        連通部の垂直部分
１６ｂ        連通部の水平部分
１７          切替弁
１８          弁収容部
２０          操作軸
２０ａ        先端部
２０ｂ        貫通穴（連通穴）
２１          連通路
２２          チャージ口
２３          操作部
２４          ガイド用スリット
２４ａ        軸方向スリット
２４ｂ        斜め方向スリット
２４ｃ        水平方向スリット
２７          スプリングピン
２８          弁体
２９          弁座
３０          逆止弁
３１，３２    Ｏリング
３３          検査用流体供給管
３４          アダプタ
３５          係合突起
３６          閉塞栓
３６ａ        閉塞栓の係合部
【図１】
0004132427.tif 000002
【図２】
0004132427.tif 000003
【図３】
0004132427.tif 000004
【図４】
0004132427.tif 000005
【図５】
0004132427.tif 000006
【図６】
0004132427.tif 000007